(57)【要約】【課題】新たな係合構造に接着手段を組み合わせた技術により強度を高めて外れ難くし、食材が浸み出したり漏れたりすることを防ぐ木製弁当箱構造を提供する。【解決手段】木製弁当箱構造は、筐体２０及び底板１１を備える。筐体２０は、木製筐形であり、上部及び底部に開口２２がそれぞれ形成される。筐体２０底部に形成された開口２２には、少なくとも１つの凹部４６が設けられる。底板１１は、シート状の木製板材からなり、周縁部に少なくとも１つの凸部１４が外方へ延設される。筐体２０底部に形成された開口２２を底板１１により覆い、凹部４６に凸部１４を結合させ、底板１１に隣接した筐体２０の部分に塗布された接着剤により、底板１１と筐体２０とが接着される。【選択図】図１
0003187145.tif 000002
【実用新案登録請求の範囲】
【請求項１】
筐体及び底板を備えた木製弁当箱構造であって、
前記筐体は、木製筐形であり、上部及び底部に開口がそれぞれ形成され、前記筐体底部に形成された開口には、少なくとも１つの凹部が設けられ、
前記底板は、シート状の木製板材からなり、周縁部に少なくとも１つの凸部が外方へ延設され、
前記筐体底部に形成された前記開口を前記底板により覆い、前記凹部に前記凸部を結合させ、前記底板に隣接した前記筐体の部分に塗布された接着剤により、前記底板と前記筐体とが接着されることを特徴とする木製弁当箱構造。
【請求項２】
前記筐体の上部に形成した前記開口は、前記筐体の底部に形成された前記開口より大きな面積を有し、
前記底板の面積は、前記筐体上部に形成した前記開口の面積より小さく、前記筐体底部に形成した前記開口の面積より大きく、
前記上部に形成した開口から前記底板を前記筐体の深い箇所まで挿設させると、前記筐体内壁に当接されて落下することを防ぐことを特徴とする請求項１に記載の木製弁当箱構造。
【請求項３】
前記筐体は、第１の側接片と第２の側接片とにより構成され、
前記第１の側接片と前記第２の側辺片とは、構造が略同じであり、互いに突き合せて中空状の前記筐体を構成することを特徴とする請求項１又は２に記載の木製弁当箱構造。
【請求項４】
前記側接片は、本体をそれぞれ有し、
前記本体は、木製板材からなり、中間部に１対の折り縁部が形成され、前記本体の両側には、前記折り縁部に沿って同じ方向へ折り曲げられた２つの結合部が形成され、
前記結合部のうちの一方の縁部には、嵌着部が突設され、前記嵌着部に他方の結合部の縁部に凹設された組み込み部を組み合わせ、両者を係合させて前記筐体を形成することを特徴とする請求項３に記載の木製弁当箱構造。
【請求項５】
前記凹部は、前記結合部の底縁に形成されることを特徴とする請求項４に記載の木製弁当箱構造。
【請求項６】
前記接着剤は、前記筐体中に収納された食材を汚染しないように前記底板底部に塗布されることを特徴とする請求項１又は２に記載の木製弁当箱構造。
【考案の詳細な説明】
【技術分野】
【０００１】
本考案は、木製弁当箱構造に関する。
【背景技術】
【０００２】
従来の木製弁当箱には底側片が設けられる。底側片の両側には、それぞれ折り曲げられて長側片が形成され、２枚の薄紙の一部が底側片の両側底面に接着されている。２つの長側片の端部の間に形成された空隙を各薄紙により覆い、薄紙の残部により長側片の外側を覆い、長側片の外表面に接着された２つの接着テープにより、２つの薄紙を互いに対向させて接着させる。この弁当箱は、さらに２つの短側片を有する。各短側片を２つの長側片間に挿入させると、薄紙の内側に位置し、矩形状の収納空間を有する筐体が構成される。
【０００３】
弁当箱にご飯を盛り付けたり他の食材を収納する際、底側片と長側片とが接続された構造強度が不足することがあり、その場合、薄紙及び接着テープにより構造強度を高める必要がある。薄紙により食材中の液体（例えば、スープ、水分、油分など）を吸収するため、湿って負荷に耐えられなくなる現象が発生し、薄紙が徐々に破れて、最悪の場合、弁当箱がばらばらに分解してしまう虞があった。
【０００４】
上述した従来技術の問題点を改善するために、本考案者は、すでに木製弁当箱に関する出願を行っている（特許文献１）。
【先行技術文献】
【特許文献】
【０００５】
【特許文献１】台湾実用新案登録第３３５９６８号公報
【考案の概要】
【考案が解決しようとする課題】
【０００６】
本考案は、新たな係合構造に接着手段を組み合わせた技術により強度を高めて外れ難くし、食材が浸み出したり漏れたりすることを防ぐ木製弁当箱構造を提供することを課題とする。
【課題を解決するための手段】
【０００７】
上記課題を解決するために、本考案の第１の形態によれば、筐体及び底板を備えた木製弁当箱構造であって、前記筐体は、木製筐形であり、上部及び底部に開口がそれぞれ形成され、前記筐体底部に形成された開口には、少なくとも１つの凹部が設けられ、前記底板は、シート状の木製板材からなり、周縁部に少なくとも１つの凸部が外方へ延設され、前記筐体底部に形成された前記開口を前記底板により覆い、前記凹部に前記凸部を結合させ、前記底板に隣接した前記筐体の部分に塗布された接着剤により、前記底板と前記筐体とが接着されることを特徴とする木製弁当箱構造が提供される。
【０００８】
前記筐体の上部に形成した前記開口は、前記筐体の底部に形成された前記開口より大きな面積を有し、前記底板の面積は、前記筐体上部に形成した前記開口の面積より小さく、前記筐体底部に形成した前記開口の面積より大きく、前記上部に形成した開口から前記底板を前記筐体の深い箇所まで挿設させると、前記筐体内壁に当接されて落下することを防ぐことが好ましい。
【０００９】
前記筐体は、第１の側接片と第２の側接片とにより構成され、前記第１の側接片と前記第２の側辺片とは、構造が略同じであり、互いに突き合せて中空状の前記筐体を構成することが好ましい。
【００１０】
前記側接片は、本体をそれぞれ有し、前記本体は、木製板材からなり、中間部に１対の折り縁部が形成され、前記本体の両側には、前記折り縁部に沿って同じ方向へ折り曲げられた２つの結合部が形成され、前記結合部のうちの一方の縁部には、嵌着部が突設され、前記嵌着部に他方の結合部の縁部に凹設された組み込み部を組み合わせ、両者を係合させて前記筐体を形成することが好ましい。
【００１１】
前記凹部は、前記結合部の底縁に形成されることが好ましい。
【００１２】
前記接着剤は、前記筐体中に収納された食材を汚染しないように前記底板底部に塗布されることが好ましい。
【考案の効果】
【００１３】
本考案の木製弁当箱構造は、筐体の上部に形成された開口が大きく、底部に形成された開口が小さく、底板の面積が筐体の上部に形成された開口より小さく、筐体の底部に形成された開口より大きく、上部に形成した開口から底板を筐体の深い箇所まで挿設させると、筐体内壁に当接されて落下することを防ぐことができる上、使用する接着剤が底板の底部に塗布されるため、筐体中の食材が汚染されることを防いだり、弁当箱の構造強度を高めて食材の浸み出し又は漏れを防いだりすることができる。
【図面の簡単な説明】
【００１４】
【図１】図１は、本考案の第１実施形態に係る木製弁当箱構造を示す分解斜視図である。
【図２】図２は、本考案の一実施形態に係る木製弁当箱構造を示す斜視図である。
【図３】図３は、図２の弁当箱を別の角度から見たところを示す斜視図である。
【図４】図４は、本考案の第２実施形態に係る木製弁当箱構造を示す斜視図である。
【考案を実施するための形態】
【００１５】
以下、本考案の木製弁当箱構造の実施形態について、図面を参照しながら説明する。
【００１６】
図１及び図２を参照する。図１は、本考案の第１実施形態に係る木製弁当箱構造を示す分解斜視図である。図２は、本考案の一実施形態に係る木製弁当箱構造を示す斜視図である。図１及び図２に示すように、本考案の一実施形態に係る木製弁当箱構造の弁当箱１０は、筐体２０底部に形成された開口２２を覆う底板１１を有し、ご飯又はおかずなどの食材を収納するために用いる収納空間２４が形成されている。
【００１７】
底板１１は、シート状の四角形木板であり、２つの長辺１２及び２つの短辺１３を有する。各短辺１３は、外方に延びた２つの凸部１４を有し、２つの凸部１４は所定の間隔で離間して設ける。
【００１８】
前述の筐体２０は、第１の側接片３０及び第２の側接片４０から構成される。側接片３０，４０の構造は略同じであり、互いに突き合せて中空状の筐体２０が形成される。
【００１９】
側接片３０は本体３１を有し、第２の側接片４０は本体４１を有する。本体３１，４１は、木製板材であり、中間部に１対の折り縁部３２，４２が形成され、本体３１，４１の両側において、折り縁部３２，４２に沿って同じ方向で折り曲げ、２つの結合部３３，４３が形成される。２つの結合部３３，４３のうちの一方の結合部は、縁部中央に突出された嵌着部３４，４４を有し、嵌着部３４，４４により他方の結合部３３，４３の縁部に組み込み部３５，４５が凹設され、両者を互いに係合させると、上部に形成された開口２２が底部に形成された開口２２より大きな筐体２０が形成される。また、結合部３３の底縁には、凹部３６が凹設され、結合部４３の底縁には、凹部４６が凹設される。
【００２０】
図３を参照する。図３に示すように、２つの側接片３０，４０を結合して筐体２０を形成する際、底板１１の面積は、筐体２０上部に形成された開口２２より小さく、筐体２０底部に形成された開口２２より大きい。これにより上部に形成した開口２２から底板１１を筐体２０へ奥深く挿設すると、本体３１，４１及び結合部３３，４３の内壁に当接されて筐体２０底部に形成された開口２２が覆われ、開口２２から落下することを防ぐ。
【００２１】
底板１１の凸部１４を結合部３３，４３の凹部３６，４６と凹凸係合させ、底板１１に隣接した２つの側接片３０，４０の縁部に塗布した接着剤５０により、両者を接着させて容易に外れないようにする。これら複数の接着剤５０は、底板１１底部に塗布されるため、筐体２０中の食材が汚染されることを防ぎ、弁当箱１０の構造強度を高めて液体（例えば、スープ、水分、油分など）が浸み出したり漏れたりすることを防ぐ。
【００２２】
上述の構成により、本考案の一実施形態に係る木製弁当箱構造は、六角形、八角形又はその他多角形の形状を有してもよい。
【００２３】
図４を参照する。図４に示すように、本考案の一実施形態に係る木製弁当箱構造は、４枚の構造が略同じである側接片であり、八角形の筐体を構築し、筐体底部に形成した開口が八角形の底板により覆われており、個数及び方向は相違するが、両者の接続関係は前述の凹凸係合構造と略同じである。
【００２４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２５】
１０  弁当箱
１１  底板
１２  長辺
１３  短辺
１４  凸部
２０  筐体
２２  開口
２４  収納空間
３０  第１の側接片
３１  本体
３２  折り縁部
３３  結合部
３４  嵌着部
３５  組み込み部
３６  凹部
４０  第２の側接片
４１  本体
４２  折り縁部
４３  結合部
４４  嵌着部
４５  組み込み部
４６  凹部
５０  接着剤
【図１】
0003187145.tif 000003
【図２】
0003187145.tif 000004
【図３】
0003187145.tif 000005
【図４】
0003187145.tif 000006